(57)【要約】      （修正有）【課題】被検壁面に対して取り得る当接姿勢の自由度が拡大し、広い範囲の壁面の検査が可能となる打診具を提供する。【解決手段】打診具は、回転体形状を有する打診子３と、打診子３の中心軸ＣＬ周りに回転自在な状態で、この打診子３を支持する支持機構とを備えており、打診子３の回転軸ＣＬを含む面による縦断面において、回転軸ＣＬ方向先端側の形状が、回転軸ＣＬから離間した点Ｃを中心とする曲率半径Ｒ１の円弧ＡＣを有しており、この円弧ＡＣの範囲は、少なくとも、この円弧ＡＣの法線が、回転軸ＣＬ方向先端向きである第一の点Ｐ１から回転軸ＣＬに垂直な外方向きである第二の点Ｐ２までを含んでおり、打診子３の周面に、子午線方向に延びる複数の凸条１９が、緯線方向に沿って並設されている。【選択図】図５
0003167553.tif 000002
【実用新案登録請求の範囲】
【請求項１】
壁面の損傷を検知するための打診具であって、
回転体形状を有する打診子と、
打診子の中心軸周りに回転自在な状態で、この打診子を支持する支持機構とを備えており、
上記打診子の回転軸を含む面による縦断面において、回転軸方向先端側の形状が、上記回転軸から離間した点を中心とする曲率半径の円弧を有しており、
この円弧の範囲は、少なくとも、この円弧の法線が、回転軸方向先端向きである点から回転軸に垂直な外方向きである点までを含んでおり、
上記打診子の周面に、子午線方向に延びる複数の凸条が、緯線方向に沿って並設されている打診具。
【請求項２】
上記各凸条の外周面の緯線方向における形状が、外向きに凸な円弧状に形成されている請求項１に記載の打診具。
【請求項３】
上記打診子の回転軸と、上記円弧の曲率半径の中心点との、回転軸に垂直な方向の離間距離が、２ｍｍ以上２８ｍｍ以下に設定されている請求項１又は２に記載の打診具。
【請求項４】
上記円弧の曲率半径が、３ｍｍ以上１５ｍｍ以下に設定されている請求項１から３のうちのいずれかに記載の打診具。
【請求項５】
上記打診子の縦断面において、回転軸方向の最先端が上記円弧の部分である請求項１から４のうちのいずれかに記載の打診具。
【請求項６】
上記凸条が６本以上２０本以下の範囲で設けられており、上記凸条の外周面の赤道曲率半径が１．０ｍｍ以上５ｍｍ以下に設定されている請求項１から５のうちのいずれかに記載の打診具。
【考案の詳細な説明】
【技術分野】
【０００１】
本考案は、構造物等の壁面の損傷等、例えば仕上面の浮き上がりを検知するために使用される打診具に関するものである。
【背景技術】
【０００２】
構造物の表面に施された仕上層であるタイルやモルタル等は、経年変化により「浮き」と称される損傷を受けることがある。この浮きが放置されると、構造物の表面から仕上層が剥離落下するおそれがある。そのため、仕上層は、剥離の有無について定期的に検査される。この検査には、打診具と称される道具が用いられる。使用者は、打診具を仕上層に軽く衝突させて、その衝突音等により仕上層の損傷の有無を判断する。このような打診具は、例えば特開２００６−９０８３２公報に開示されている。
【０００３】
図８に示されるように、上記打診具５１は、伸縮可能な把持棒５２と、球形の打診子５３とを有している。把持棒５２は、複数本の円筒部材５４が入れ子式に組まれたものである。打診子５３は、把持棒５２の先端に、把持棒５２の中心軸回りに回転可能に取り付けられている。球形の打診子５３の表面には、把持棒５２の中心軸方向（子午線方向）に複数本の凸条５５が延びている。この凸条５５は、打診子５３の表面の緯線方向に沿って一定ピッチで形成されている。この凸条５５の横断面における上縁は円弧状を呈している。この打診子５３は、球形のカボチャに似た形状を呈している。
【０００４】
使用者は、この打診子５３を構造物の壁面Ｗに打ち付けるか又は転動させる。打診子５３が打ち付けられたときには打撃音が発生する。打診子５３が転動させられたときには、複数の凸条５５が順次規則的に構造物の表面に衝突する。その結果、コトコトコトという一定周期の衝突音が発生する。使用者は、この衝突音等の音色に基づいて当該構造物の損傷の有無を判断する。
【０００５】
打診子５３が構造物の壁面Ｗ上を転動させられる場合には、構造物の壁面Ｗに大きい衝撃は加わらない。当該壁面Ｗが損傷することが防止される。図８（ａ）に示されるように、打診子５３が、その赤道の近傍の部分が上記壁面Ｗに当接した状態、換言すれば、把持棒５２と壁面Ｗとのなす角度αが小さい状態、で転動させられるときには、打診子５３はスムーズに回転する。壁面Ｗから摩擦を介して打診子５３に加わる回転モーメントの腕長さが比較的長いからである。また、赤道の近傍の部分では、凸条５５の高さが比較的高く、凸条同士の間隔も比較的大きいので、大きい衝突音が発生する。
【０００６】
しかしながら、図８（ｂ）に示されるように、把持棒５２が壁面Ｗとなす角度αが大きい方向に傾斜された状態、換言すれば、打診子５３が、その先端近傍の部分が上記壁面Ｗに当接した状態、で転動させられるときには、打診子５３は回転しにくい。壁面Ｗからの上記回転モーメントの腕長さが短くなるからである。また、先端近傍の部分では、凸条５５の高さが比較的低く、凸条同士の間隔が比較的小さくなるので、衝突音が小さくなる。
【０００７】
一般的に、打診具５１は、上記角度αが比較的大きい状態（約３０°〜約４５°）で使用される。その際、打診子５３は、その先端近傍の部分が上記壁面Ｗに当接した状態で転動する。もともと、打診子５３の先端近傍では、その凸条５５の高さは低い。凸条５５が存在しない場合もある。従って、打診子５３は、短期間の使用によってその凸条５５が摩滅してしまう。凸条５５が摩滅すれば、その打診具５５は機能を発揮しない。
【先行技術文献】
【特許文献】
【０００８】
【特許文献１】特開２００６−９０８３２公報
【考案の概要】
【考案が解決しようとする課題】
【０００９】
本考案は、かかる現状に鑑みてなされたものであり、診断対象の壁面に対する把持棒の姿勢（なす角度）に関わらず、打診子の良好な転動及び打撃が可能な打診具を提供することを目的としている。
【課題を解決するための手段】
【００１０】
本考案に係る打診具は、
壁面の損傷を検知するための打診具であって、
回転体形状を有する打診子と、
打診子の中心軸周りに回転自在な状態で、この打診子を支持する支持機構とを備えており、
上記打診子の回転軸を含む面による縦断面において、回転軸方向先端側の形状が、上記回転軸から離間した点を中心とする曲率半径の円弧を有しており、
この円弧の範囲は、少なくとも、この円弧の法線が、回転軸方向先端向きである点から回転軸に垂直な外方向きである点までを含んでおり、
上記打診子の周面に、子午線方向に延びる複数の凸条が、緯線方向に沿って並設されている。
【００１１】
この打診具では、凸条が形成されている打診子の周面は、その法線が回転軸方向先端を向いた部位まで存在する。この部位は、回転軸から離間している。このため、回転軸と被検壁面とのなす角度が大きい姿勢で、打診子が壁面に当接した状態でも、打診子はスムーズに転動しうる。また、上記部位においても、凸条が十分な高さを持って存在するので、長期間の使用に耐える。さらに、打診子の周面に複数の凸条が形成されているから、打診子が被検体（例えば壁面）の表面上を転動すると、順次規則的に凸条が当該被検体の表面に衝突し、間欠的に衝突音が発生する。この衝突音は、使用者が被検壁面の損傷の有無を判断するために十分に大きい音である。
【００１２】
上記各凸条の外周面の緯線方向における形状が、外向きに凸な円弧状に形成されているのが好ましい。かかる凸条によれば、被検壁面に衝突したとき、壁面に加えられる衝撃が小さいからである。
【００１３】
上記打診子の回転軸と、上記円弧の曲率半径の中心点との、回転軸に垂直な方向の離間距離が、２ｍｍ以上２８ｍｍ以下に設定されているのが好ましい。
【００１４】
上記円弧の曲率半径が、３ｍｍ以上１５ｍｍ以下に設定されているのが好ましい。
【００１５】
上記打診子の縦断面において、回転軸方向の最先端が上記円弧の部分であるのが好ましい。打診子の周面以外の部分が被検壁面に接触しないので、診断士が被検壁面上をスムーズに転動しうるからである。
【００１６】
上記凸条は、６本以上２０本以下の範囲で設けられているのが好ましい。また、上記凸条の外周面の赤道曲率半径は、１．０ｍｍ以上５ｍｍ以下に設定されているのが好ましい。少なくとも、これらのいずれかにより、被検壁面にダメージを与えることなく、十分に大きい衝撃音が発生するからである。
【考案の効果】
【００１７】
本考案の打診具によれば、打診子の回転軸と被検壁面とのなす角度が大きい姿勢で、打診子が壁面に当接した状態でも、打診子はスムーズに転動し、且つ、長期間の使用に耐えうる。従って、被検壁面に対して取り得る打診具の当接姿勢の幅が拡大する。その結果、広い範囲の壁面の検査が可能となる。
【図面の簡単な説明】
【００１８】
【図１】図１（ａ）及び図１（ｂ）はそれぞれ、本考案の一実施形態に係る打診具の正面図である。
【図２】図２は、図１の打診具の組み立て前の要部を示す斜視図である。
【図３】図３は、図１の打診具の打診子の正面図である。
【図４】図４は、図１の打診具の打診子の平面図である。
【図５】図５は、図４のＶ−Ｖ線に沿った縦断面図である。
【図６】図６は、本考案の他の実施形態に係る打診具における打診子の正面図である。
【図７】図７は、本考案のさらに他の実施形態に係る打診具における打診子の縦断面図である。
【図８】図８（ａ）及び図８（ｂ）はそれぞれ従来の打診具の正面図である。
【考案を実施するための最良の形態】
【００１９】
以下、適宜図面が参照されつつ、好ましい実施形態に基づいて本考案が詳細に説明される。
【００２０】
図１（ａ）は、後述する把持棒２と被検壁面Ｗとのなす角度αが大きい状態の打診具１を示している。図１（ｂ）は、上記角度αが小さい状態の打診具１を示している。また、図２は、この打診具１の要部の組み立て前斜視図である。
【００２１】
この打診具１は、建築物の壁面の損傷を検査するための道具である。使用者は、この打診具１を用いて当該壁面を打診し、その打音により損傷の有無を検査する。本明細書では、この検査は「壁面損傷検査」と称される。打診具１は、把持棒２と、この把持棒２の先端に設けられた打診子３とを有している。把持棒２は、本体４と、打診子３を回転自在に支持する支持機構５（図２参照）とを備えている。支持機構５は本体４の先端に組み込まれている。打診子３は、回転体形状を有している。打診子３の構造の詳細は後述する。
【００２２】
上記本体４は、入れ子式に組み立てられた複数の筒状部材４１〜４５を有している。本実施形態では、本体４は第１から第５の５本の筒状部材４１〜４５から構成されるが、この本数には限定されない。かかる構成により、本体４は伸縮自在とされている。具体的には、各筒状部材４１〜４５は、ステンレス鋼等の金属製円筒から形成されている。本実施形態では、本体４の後端部の外周面は、ゴムや合成樹脂からなるシート部材６によって被覆されている。このシート部材６による被腹部は、使用者が把持するグリップ部となる。本体４の後端部には、ロープ等のひも部材が連結される連結部７が設けられている。
【００２３】
支持機構５は、打診子３がその中心軸ＣＬ周りに回転自在となるように、当該打診子３を本体４の先端に支持している。この支持機構５は、本体４の先端の第１筒状部材４１の先端に設けられている。支持機構５は、支持軸８と係止部材９とを備えている。支持機構５は、打診子３が自己の中心軸ＣＬ周りに回転自在となるように、この打診子３を支持している。打診子３の中心軸ＣＬは、本体４の長手方向に一致している。
【００２４】
支持軸８は、その軸方向に連続した大径部１０と小径部１１とを備えている。大径部１０が第１筒状部材４１の先端に固定されている。大径部１０と小径部１１との境界部分には段部１２が形成されている。小径部１１の先端から、その中心軸の方向に沿ってねじ穴１３が設けられている。本実施形態では、上記係止部材９としてボルトが採用されている。係止部材９は、上記ねじ穴１３ねじ込まれる雄ネジ部１４、及び頭部１５を有している。ねじ穴１３の深さは、雄ネジ部１４の長さより大きい。雄ネジ部１４がねじ穴１３にねじ込まれると、頭部１５の下面が小径部１１の先端に当接する。後述するように、この係止部材９の頭部１５と、上記支持軸８の段部１２とにより、打診子３が支持軸８に位置決めされ、回転自在に取り付けられる。
【００２５】
図２から図５に示されるように、打診子３は回転体形状を有している。打診子３は合成樹脂や金属等により形成され得る。図５は、打診子３の回転軸（中心軸）ＣＬを含む面によって切られた縦断面図である。打診子３は、回転体形状を有しているため、この図５の縦断面図によってその立体形状が説明されうる。図５に示されるように、打診子３の周面の回転軸ＣＬ方向先端側の形状は、回転軸ＣＬから距離Ｄだけ離間した点Ｃを中心とする曲率半径Ｒ１の円弧ＡＣを呈している。この円弧ＡＣは、後述する凸条１９の上端縁（尾根、稜線）に相当する。この円弧ＡＣの範囲は、少なくとも、この円弧ＡＣの法線が回転軸ＣＬ方向先端向きである第一の点Ｐ１から、回転軸ＣＬに垂直な外方向きである第二の点Ｐ２までを含む。本実施形態では、円弧ＡＣは、上記第一の点Ｐ１から始まって、第二の点Ｐ２を超えて、わずかに後端側（把持棒２側）にまで延びている。従って、第一の点Ｐ１にも、凸条１９が十分な高さを持って存在している。打診子３における、円弧ＡＣの後端から打診子３の後端にかけての基本形状は、切頭円錐形状にされている。
【００２６】
図２から図５に示されるように、打診子３は貫通孔１６を有する。この貫通孔１６は、打診子３を、その中心軸ＣＬに沿って貫通している。貫通孔１６は、先端側から順に、大径孔１７と、これに連続する小径孔１８とを備えている。この大径孔１７の内径寸法は、上記係止部材９の頭部１５（図２参照）の外径寸法よりわずかに大きくされている。上記小径孔１８の内径寸法は、上記支持軸８の小径部１１の外径寸法よりわずかに大きくされ、大径部１０の外径寸法より小さくされ、係止部材９の頭部１５の外径寸法より小さくされている。上記支持軸８の小径部１１の長さは、打診子３の小径孔１８の長さより、わずかに長くされている。打診子３の大径孔１７の深さ寸法は、上記頭部１５の高さ寸法より大きくされている。この大径孔１７の深さ寸法と頭部１５の高さ寸法との差は、上記小径部１１の長さと打診子３の小径孔１８との差より、大きくされている。
【００２７】
上記の寸法に形成された各部品は以下のように組み立てられる。支持軸８の小径部１１が打診子３の貫通孔１６に貫入した状態で、この支持軸８のねじ穴１３に係止部材９の雄ネジ部１４がねじ込まれる。この状態では、係止部材９の頭部１５は、打診子３の大径孔１７の底面を押圧することなく大径孔１７内に埋没する。この係止部材９は、打診子３を支持軸８に締結するものではなく、打診子３が支持軸８から脱落しないように位置決めするものである。これにより、打診子３は、小径部１１に支持された状態で、中心軸ＣＬ周りに回転自在となる。この状態では、打診具１が如何なる姿勢を取ろうとも、係止部材９の頭部１５は、上記大径孔１７内に埋没し、打診子３の先端から突出することはない。
【００２８】
図３及び図４に示されるように、打診子３は、その周面に複数の凸条１９を備えている。上記打診子３の周面に、子午線方向に延びる複数の凸条１９が、緯線方向に沿って並設されている。本実施形態では、１２本の凸条１９が打診子３と一体的に形成されている。凸条１９の数は、６本以上２０本以下の範囲で適宜設定され得る。凸条１９が５本以下の場合は、凸条１９と被検壁面Ｗとの衝撃が大きくなり、被検壁面Ｗに傷等を付けるおそれがある。凸条が２１本以上の場合は、衝突音の周期が非常に短くなり、滑らかな球形の打診子が転動する場合のように衝突音が小さくなってしまうからである。
【００２９】
各凸条１９は、放射状に形成されており、打診子３の子午線方向に延び且つ緯線方向に均等ピッチで配置されている。ここで、「子午線方向」とは、打診子３の周面に沿い且つ中心軸ＣＬに沿う方向である。また、「緯線方向」とは、打診子３の周面に沿い且つ子午線方向に直交する方向である。なお、図３に示されるように、緯線方向のうち打診子３の外径寸法が最大となるポイントは、特に「赤道ＥＬ」と定義される。
【００３０】
図４に示されるように、各凸条１９の外周面２０は曲面にされている。具体的には、凸条１９の外周面２０の横断面形状は、円弧状にされている。これにより、使用者は、被検壁面Ｗに損傷を与えることなく、壁面損傷検査を行うことができる。本実施形態では、この外周面２０の円弧の曲率半径Ｒ２は、２．０ｍｍに設定されている。しかし、この曲率半径Ｒ２は２ｍｍには限定されない。十分に大きい衝突音の発生、及び、被検壁面Ｗの損傷防止の観点から、曲率半径Ｒ２は、１．０ｍｍ以上５ｍｍ以下の範囲で適宜設定され得る。
【００３１】
隣り合う凸条１９同士の間の部位（谷部）２１は、曲面によって構成されている。これにより、隣り合う凸条１９同士は、滑らかに連続している。この谷部２１を構成する曲面の横断面の曲率半径Ｒ３は、例えば０．５ｍｍに設定され得る。ただし、この部位２１の曲率半径Ｒ３は、かかる寸法に限定されるものではなく、適宜設計変更され得るものであるし、この部位２１が屈曲面により構成されていてもよいことは勿論である。
【００３２】
打診子３の貫通孔１６を含む支持機構５が採用される場合、打診子３の回転軸ＣＬと円弧ＡＣの中心点Ｃとの離間距離Ｄは、上記大径孔１７の半径Ｒ４以上であるのが好ましい。これにより、円弧ＡＣの第一の点Ｐ１（図５参照）においても、凸条１９が十分な高さを持って存在している。この場合、把持棒２が、被検壁面Ｗとのなす角度αが大きい姿勢であるとき（図１（ａ）参照）でも、打診子３がスムーズに壁面Ｗを転動することができる。なぜなら、打診子３が壁面Ｗから受ける回転モーメントの腕長さが長く、回転モーメント自体も大きくなるからである。また、前述のとおり、第一の点Ｐ１においても凸条１９が十分な高さを持って存在しているため、打診具１は、大きい角度αの姿勢での長期間使用にも耐えうる。本実施形態では、大径孔１７の半径Ｒ４は４ｍｍにされている。しかし、この数値に限定されない。また、凸条１９は第二の点Ｐ２（図５参照）においても存在するので、把持棒２が、上記角度αが小さく、被検壁面Ｗとほぼ平行な姿勢であるとき（図１（ｂ）参照）も、打診子３がスムーズに壁面Ｗを転動することができる。
【００３３】
打診子３の赤道半径ＲＥ（図５参照）は、円弧ＡＣの曲率半径Ｒ１と、上記離間距離Ｄとの和である。打診子３は、すなわち赤道半径ＲＥは、大きすぎても小さすぎても好ましくはない。赤道半径ＲＥが適当な値になるように、曲率半径Ｒ１と離間距離Ｄとが決定される。打診子３の重量低減及び取り扱い容易の観点から、赤道半径ＲＥは、６ｍｍ以上３０ｍｍ以下であるのが好ましい。壁面Ｗの損傷防止の観点からは、円弧ＡＣの曲率半径Ｒ１は３ｍｍ以上であるのが好ましい。打診子３の重量低減及び取り扱い容易の観点からは、曲率半径Ｒ１は１５ｍｍ以下であるのが好ましい。
【００３４】
本実施形態における打診子３は、図３から図５に示された形状を呈しているが、かかる形状には限定されない。例えば、図６に示されるような、図３及び図５に示されている切頭円錐部分が切除され、円弧状部分ＡＣからなる形状を有する打診子３１であってもよい。図７に示されるように、円弧状部分ＡＣが、上記第一の点Ｐ１を超えて回転軸ＣＬにより近づいた形状を有する打診子３２であってもよい。図７の打診子３２の円弧ＡＣの曲率半径Ｒ１は、図５の打診子３のそれより小さくされている。この打診子３２の赤道半径ＲＥは図５の打診子３のそれと同じ大きさであるため、この打診子３２の上記離間距離Ｄは、図５の打診子３のそれより大きくなっている。また、図示されていないが、図７の打診子３２から切頭円錐部分が切除された形状の打診子でもよい。
【００３５】
上記打診具１は、次のようにして使用される。使用者は、把持棒２を所望の長さに設定し、壁面損傷検査を行うことができる。使用者は、打診子３を被検壁面Ｗ等に当接させ、把持棒２を横移動することにより、打診子３を被検壁面Ｗの表面に対して転動させる。打診子３が被検壁面Ｗ上を転動すると、順次規則的に凸条１９が被検壁面Ｗに衝突する。その結果、間欠的に（すなわち一定の周期で）衝突音が発生する。凸条１９の外周面２０が曲面に形成されているので、凸条１９と被検壁面Ｗとが衝突したときの衝撃は小さい。使用者は、被検壁面Ｗに傷等を付けることなく、衝突音に基づいて検査を行うことができる。
【００３６】
使用者は、自己の立ち位置と被検壁面Ｗとが大きく離間しているような場合、自分の腕及び打診具１を被検壁面Ｗに向けて延ばす。その結果、把持棒２と被検壁面Ｗとのなす角度αが大きくなる。このような場合でも、打診子３は被検壁面Ｗから、転動に十分な回転モーメントを受けることができる。なぜなら、打診子３の、回転軸ＣＬから離間した位置の、回転軸ＣＬ方向の先端側の部位に、凸条１９が存在するからである。
【００３７】
本実施形態では、打診子３の貫通孔１６を用いた支持機構５が採用されている。しかし、かかる構成には限定されない。貫通孔１６を有していない打診子の場合では、打診子３の回転軸ＣＬと上記円弧ＡＣの中心点Ｃとの離間距離Ｄは、２ｍｍ以上であるのが好ましい。
【産業上の利用可能性】
【００３８】
本考案は、建造物等の壁面の損傷の検査に適用され得る。
【符号の説明】
【００３９】
１・・・打診具
２・・・把持棒
３、３１、３２・・・打診子
４・・・本体
５・・・支持機構
６・・・シート部材
７・・・連結部
８・・・支持軸
９・・・係止部材
１０・・・大径部
１１・・・小径部
１２・・・段部
１３・・・ねじ穴
１４・・・雄ネジ部
１５・・・頭部
１６・・・貫通孔
１７・・・大径孔
１８・・・小径孔
１９・・・凸条
２０・・・（凸条の）外周面
２１・・・谷部
４１、４２、４３、４４、４５・・・筒状部材
ＡＣ・・・円弧
Ｃ・・・円弧ＡＣの中心点
ＣＬ・・・打診子の回転軸（中心軸）
Ｄ・・・離間距離
ＥＬ・・・打診子の赤道
Ｐ１・・・円弧ＡＣ上の第一の点
Ｐ２・・・円弧ＡＣ上の第二の点
Ｒ１・・・打診子の縦断面における円弧ＡＣの曲率半径
Ｒ２・・・凸条の横断面における曲率半径
Ｒ３・・・谷部の横断面における曲率半径
Ｒ４・・・大径孔の半径
ＲＥ・・・打診子の赤道半径
Ｗ・・・被検壁面
【図１】
0003167553.tif 000003
【図２】
0003167553.tif 000004
【図３】
0003167553.tif 000005
【図４】
0003167553.tif 000006
【図５】
0003167553.tif 000007
【図６】
0003167553.tif 000008
【図７】
0003167553.tif 000009
【図８】
0003167553.tif 000010